(57)【特許請求の範囲】
【請求項１】
洗浄室内に設けた洗浄ノズル及びすすぎノズルと、前記洗浄室下方において開口する洗浄タンクとを備え、前記洗浄室内の食器類に前記洗浄ノズルから前記洗浄タンク内の洗浄水を噴射して洗浄を行うと共に、すすぎ水を前記すすぎノズルから噴射してすすぎを行う食器洗浄機において、
前記洗浄タンク内に設けられたオーバーフローパイプを備え、このオーバーフローパイプは、水平方向に延在すると共に、端部から所定範囲奥方に渡って、上側が切り欠かれていることを特徴とする食器洗浄機。
【請求項２】
洗浄タンク内には、オーバーフローパイプよりも高い位置にて開口するもう一つのオーバーフローパイプを設けたことを特徴とする請求項１の食器洗浄機。
【発明の詳細な説明】
【０００１】
【発明の属する技術分野】
本発明は、洗浄室内にて食器類の洗浄とすすぎを行う食器洗浄機に関するものである。
【０００２】
【従来の技術】
従来よりこの種食器洗浄機は、例えば実公昭５５−５１４１５号公報（Ａ４７Ｌ１５／４２）に示される如く、洗浄室内の洗浄領域（公報では洗浄室と称している）に上下洗浄ノズルとすすぎ領域（公報ではすすぎ室と称している）内に上下すすぎノズルとを配設すると共に、上下のノズル間には移送機構を取り付け、食器類を収納したラックを一定速度で移送する。
【０００３】
そして、洗浄室の下方には上面に開口する洗浄タンクを設け、洗浄領域では上下洗浄ノズルから洗浄タンク内の洗浄水をポンプにより食器類に噴射し、その後、すすぎ領域において上下すすぎノズルから温水であるすすぎ水を食器類に噴射することにより、順次連続して洗浄とすすぎが行われるように構成されていた。
【０００４】
また、上下洗浄ノズルから噴射された洗浄水は、洗浄タンクに流入して循環されるものであるが、上下すすぎノズルから噴射されたすすぎ水も洗浄タンク内に流入するよう構成されている。そのため、洗浄タンク内にはオーバーフローパイプを設けて、係るすすぎ水の流入によって増加した洗浄水（オーバーフロー水）を排出する構成としていた。
【０００５】
また、すすぎ水をそのまま流入させると、洗浄タンク内の洗浄水が希釈されてしまうため、従来より前記公報の如くすすぎノズルの下方にはすすぎ水受け（公報ではすすぎ湯受皿と称している）を設け、すすぎ水（すすぎ湯）の一部（約半分）をこのすすぎ水受けで受けて外部に排出していた。
【０００６】
更に、食器類からは食品の汚れや残菜等が落下する。このうち、大きい異物が洗浄タンク内に流入すると、ポンプなどが故障を来す危険性があるため、洗浄タンクの上部にはタンクフィルタを取り付け、このタンクフィルタによって比較的大きい異物が洗浄タンク内に流入しないように構成されていた。
【０００７】
【発明が解決しようとする課題】
ここで、図１２と図１３に従来の上記オーバーフローパイプ１０１の構造を示す。従来のオーバーフローパイプ１０１は、各図に示す如く円筒状のパイプの一端が開口（この開口部を１０２と称す）したものであり、これが洗浄タンク内に立設され、その上端の開口部１０２が洗浄タンク上部の所定の高さの位置にて上方に向けられ、取り付けられるものであった。
【０００８】
しかしながら、係る構造では開口部１０２の開口面積がパイプの径によって決まってしまうため、タンクフィルタを通過して洗浄タンク内に流入した異物により開口部１０２が閉塞され、オーバーフローパイプ１０１が詰まってしまって洗浄水が溢れ出てしまう問題があった。
【０００９】
本発明は係る従来の技術的課題を解決するために成されたものであり、オーバーフローパイプの詰まりによる排水不良を未然に防止することができる食器洗浄機を提供するものである。
【００１０】
【課題を解決するための手段】
本発明の食器洗浄機は、洗浄室内に設けた洗浄ノズル及びすすぎノズルと、洗浄室下方において開口する洗浄タンクとを備え、洗浄室内の食器類に洗浄ノズルから洗浄タンク内の洗浄水を噴射して洗浄を行うと共に、すすぎ水をすすぎノズルから噴射してすすぎを行うものであって、洗浄タンク内に設けられたオーバーフローパイプを備え、このオーバーフローパイプは、水平方向に延在すると共に、端部から所定範囲奥方に渡って、上側が切り欠かれているものである。
【００１１】
本発明によれば、洗浄室内に設けた洗浄ノズル及びすすぎノズルと、洗浄室下方において開口する洗浄タンクとを備え、洗浄室内の食器類に洗浄ノズルから洗浄タンク内の洗浄水を噴射して洗浄を行うと共に、すすぎ水をすすぎノズルから噴射してすすぎを行う食器洗浄機において、洗浄タンク内にオーバーフローパイプを設け、このオーバーフローパイプを水平方向に延在させ、その端部から所定範囲奥方に渡って、上側を切り欠いたので、オーバーフローパイプのパイプ径に制限されずに、端部における開口面積を拡張することができる。
【００１２】
これにより、洗浄タンク内の異物によってオーバーフローパイプの開口部が閉塞されてしまう不都合を極力防止することが可能となり、オーバーフロー水を円滑に排出して洗浄水が食器洗浄機外に溢出するなどの不都合を未然に回避することができるようになるものである。
【００１３】
請求項２の発明の食器洗浄機は、上記において洗浄タンク内に、オーバーフローパイプよりも高い位置にて開口するもう一つのオーバーフローパイプを設けたものである。
【００１４】
請求項２の発明によれば、上記に加えて洗浄タンク内に、オーバーフローパイプよりも高い位置にて開口するもう一つのオーバーフローパイプを設けたので、万一下方のオーバーフローパイプが詰まってしまった場合でも、その上方にて開口するもう一つのオーバーフローパイプからオーバーフロー水を排出することができるようになる。
【００１５】
これにより、オーバーフロー水の排出をより一層確実に行って食器洗浄機からの洗浄水の溢出をより確実に防止することが可能となるものである。
【００１６】
【発明の実施の形態】
次に、図面に基づき本発明の実施形態を詳述する。図１は本発明の食器洗浄機ＤＷの縦断正面図、図２は食器洗浄機ＤＷのもう一つの縦断正面図、図３は食器洗浄機ＤＷの洗浄タンク１０部分の縦断正面図、図４は食器洗浄機ＤＷの洗浄タンク１０部分の縦断側面図をそれぞれ示している。
【００１７】
各図において、１は内部を洗浄室２と成し、両側壁３、４に相対向してラックＲの入出用の開口６、７を形成した外装体であり、底壁８の後壁５側寄りを下方へ凹陥させて洗浄タンク１０を形成すると共に、洗浄室２内下部の前後に、前記ラックＲを開口６側より開口７側へ移動自在に支持するラックレール１２、１２が取り付けられている。
【００１８】
洗浄室２内は入口となる一方の開口６側が洗浄領域Ｗ１、出口となる他方の出口側がすすぎ領域Ｗ２とされ、前記洗浄領域Ｗ１内の上下に前段の洗浄を行う一対の上下洗浄ノズル１３Ａ、１３Ｂが設けられると共に、すすぎ領域Ｗ２内の上下には終段のすすぎを行う一対の上下すすぎノズル１４Ａ、１４Ｂがそれぞれ設けられている。また、前記ラックレール１２、１２は上記洗浄領域Ｗ１からすすぎ領域Ｗ２まで渡って設けられている。更に、開口６及び７と、領域Ｗ１とＷ２間にはカーテンＣがそれぞれ吊下されている。
【００１９】
そして、上洗浄ノズル１３Ａ及び上すすぎノズル１４Ａは外装体１の天壁１５等に取り付けられ、その噴射口１６Ａ・・、１７Ａからは下方に洗浄水或いはすすぎ水を噴射すると共に、下洗浄ノズル１３Ｂ及び下すすぎノズル１４Ｂはラックレール１２、１２の直下に位置して取り付けられ、その噴射口１６Ｂ・・、１７Ｂからは上方に洗浄水或いはすすぎ水を噴射する構成とされている。
【００２０】
１８は前記洗浄タンク１０内に貯留された洗浄水を吸引し、加圧して前記上下洗浄ノズル１３Ａ、１３Ｂにそれぞれ中空管２０、２１を介して供給するポンプ装置である。また、洗浄タンク１０は洗浄室２の後部下方において上方に開口しており、この開口部には洗浄水中の比較的大きな残菜を濾過するために目の細かい透孔が複数穿設されたタンクフィルタ３１・・が複数並設されている。更に、外装体１の前面には扉１９が設けられている。
【００２１】
尚、上下すすぎノズル１４Ａ、１４Ｂには外装体１の外に別置きしたボイラーなど適宜の給水装置（図示せず）からこれも図示しない弁やパイプを介してすすぎ水を供給する。また、この下すすぎノズル１４Ｂの下方には、それに対応して前記洗浄タンク１０上部に位置するようすすぎ水受け２３が配設され、前記タンクフィルタ３１・・の側方に位置している。
【００２２】
ここで、洗浄タンク１０の前上部には前方の底壁８から後方に低く連続して図５の如く傾斜した傾斜部３２が形成されている。更にこの傾斜部３２の後方に対応する後壁５には左右に渡って受けレール３３が突出形成されており、前記タンクフィルタ３１・・の後部はこの受けレール３３に載置されると共に、前部は前記傾斜部３２に保持されて着脱自在に設けられる。
【００２３】
この場合、タンクフィルタ３１の前面３１Ａは図５に示す如く前記傾斜部３２の傾斜に略合致した傾斜面とされている。これにより、タンクフィルタ３１を取り付ける際には前方から洗浄室２内に挿入し、後部を受けレール３３に載置した後、前面３１Ａを傾斜部３２上に載置することによって、タンクフィルタ３１は底壁８よりも少許低い位置に設置されるようになる。
【００２４】
このとき、タンクフィルタ３１の前面３１Ａと傾斜部３２とは略同一の傾斜面とされているので、前面３１Ａは傾斜部３２に密接する。また、前面３１Ａの上端は底壁８よりも低い位置にあるので、タンクフィルタ３１と底壁８或いは洗浄タンク１０との間には段差や隙間が生じ無くなり、この部分から残菜が侵入する不都合を解消できるようになる。
【００２５】
更に、タンクフィルタ３１の前面３１Ａが傾斜部３２に保持されて前後に移動できなくなるので、前部の受けレールを取り付ける必要も無くなる。また、タンクフィルタ３１を取り出す際には、傾斜部３２の傾斜に沿って斜め前方に取り出すことができるので、上方にノズル１３Ｂなどがあっても取りだし易くなる。
【００２６】
一方、前記すすぎ水受け２３は、図６及び図７に示す如き上面開口の矩形状容器であり、長手方向を食器洗浄機１の前後方向に向けて配設されると共に、その底面には複数の目の細かい透孔３４・・・が穿設されている。更に、すすぎ水受け２３の底面後部には排水口３６が開口しており、この排水口３６の下方に対応する位置には矩形状フィルタ部３７が設けられている。
【００２７】
この場合、フィルタ部３７はすすぎ水受け２３に一体に突出形成しても良く。別体のものをすすぎ水受け２３の底面に溶接或いはネジにて固定しても良い。
【００２８】
このフィルタ部３７の少なくとも前面及び左右面には目の細かい透孔３８が複数穿設されており、後面には丸孔状の挿入口３９が形成されている。更に、すすぎ水受け２３の下面左右にはストッパー４１、４１が下方に突出し、前後に渡って形成されており、すすぎ水受け２３の上面全体は図示しないフィルタにて覆われている。
【００２９】
他方、底面８と略同一高さの位置の後壁５には受け部４２が突出形成されており、その下方の後壁５（傾斜部３２と略同一の高さの位置）からはオーバーフローパイプ４３が洗浄タンク１０内に引き込まれている。このオーバーフローパイプ４３は図８〜図１０に示す如く後壁５から前方に向けて水平に延在している。そして、円筒状を呈したパイプの先端（前端）開口の下半分は閉塞され、そこから後方に向け、所定範囲で上側半分が切り欠かれて、そこに開口部４４が形成されている。また、オーバーフローパイプ４３の後端は外部に連通されている。
【００３０】
そして、すすぎ水受け２３を取り付ける際には、先ず、フィルタ部３７の挿入口３９にオーバーフローパイプ４３の先端を挿入し、その状態ですすぎ水受け２３の後部を受け部４２上に載置する。そして、すすぎ水受け２３の前部は底壁８上に載置する（図６）。
【００３１】
この状態で、オーバーフローパイプ４３は挿入口３９を閉塞すると共に、オーバーフローパイプ４３の開口部４４はフィルタ部３７内で開口し、排水口３６は、この開口部４４の上方に対応する。また、すすぎ水受け２３のストッパー４１、４１は隣接するタンクフィルタ３１の上縁より下方まで延在し（図６）、これにより、各タンクフィルタ３１・・の横ズレを防止する。
【００３２】
また、洗浄タンク１０の左右方向の略中央部にはもう一つの安全用オーバーフローパイプ４７が立設されている。この安全用オーバーフローパイプ４７の上端開口４７Ａはドレンハンドル４８内に挿入され、その状態で前記オーバーフローパイプ４３の開口部４４よりも高い位置の洗浄タンク１０内にて上方に向け開口している。そして、オーバーフローパイプ４７の下端は洗浄タンク１０の下方外部に連通されている。
【００３３】
次ぎに、２５は吊り板６１・・にて左右方向に移動自在に支持されたラック送りであり、電動機２４にて駆動されるクランク機構２６などにて左右に往復移動される。このラック送り２５には複数のラック送りピン４９・・が支軸２７を中心に反復円弧作動されるように取り付けられている。そして、このラック送りピン４９・・が前記ラックレール１２、１２に載置された食器類Ｄを収納せるラックＲに順次係合することにより、入口用の開口６から出口用の開口７に略定速度で当該ラックＲを順次移動させるものである。
【００３４】
また、ラックレール１２、１２の上側には、洗浄領域Ｗ１に位置して洗浄スイッチ５１が取り付けられると共に、すすぎ領域Ｗ２に位置してすすぎスイッチ５２が取り付けられている。更に、５３は洗浄タンク１０内に設けられた液位スイッチであり、５４は洗浄タンク１０を加熱する補助ヒータである。また、５６は洗浄タンク１０の前側に設けられた電装ボックスで、その前面には運転スイッチ５７や補助ヒータ５４のスイッチ５８などが設けられている。そして、５９は外装体１の上面に設けられたスイッチボックスである。
【００３５】
以上の構成で、食器類Ｄを洗浄する際には、ラックＲ内にそれらを収納した後、入口側となる開口６から外装体１の洗浄室２内に挿入する。そして、ラックＲは前述した如く以後ラック送り２５により定速度で開口６側から開口７側に移動されるが、ラックＲが洗浄領域Ｗ１の洗浄スイッチ５１のところまで来ると、それが閉じられて前記ポンプ装置１８が駆動される。これによって、上下洗浄ノズル１３Ａ、１３Ｂの噴射口１６Ａ・・、１６Ｂ・・からは洗浄タンク１０内の洗浄水が食器類Ｄに噴射され、移動されながら洗浄される。洗浄に使用された洗浄水はタンクフィルタ３１・・を経て、最終的に洗浄タンク１０内に流入し、再びポンプ装置１８に吸引されることになる。
【００３６】
ラック送り２５によりラックＲが更に移動してすすぎ領域Ｗ２のすすぎスイッチ５２のところまで来ると、それが閉じられて前記弁が開放され、それによって、上下すすぎノズル１４Ａ、１４Ｂの噴射口１７Ａ・・、１７Ｂ・・からは温水から成るすすぎ水が食器類Ｄに噴射され、移動されながら洗剤をすすがれる。すすぎに使用されたすすぎ水は、前記フィルタを介してすすぎ水受け２３内に流入し、約半分が透孔３４・・から洗浄タンク１０内に流入するが、残りは排水口３６に流入し、そこから直接オーバーフローパイプ４３の開口部４４内に入って外部に排出される。
【００３７】
そして、最終的にラックＲは出口側の開口７から外装体１外に送り出される。係る洗浄とすすぎは所定間隔で挿入された複数のラックＲ・・に対して連続的に行われるものであるが、前述の如くすすぎ水の約半分は洗浄タンク１０内に流入するため、その洗浄水の液位は上昇する。そして、オーバーフローパイプ４３の開口部４４の高さより上昇すると、その分はすすぎ水受け２３のフィルタ部３７の透孔３８・・を経てオーバーフローパイプ４３の開口部４４からオーバーフローパイプ４３内に入り、外部に排出されることになる。この透孔３８・・を通過する過程で比較的大きな異物は除去される。
【００３８】
このとき、オーバーフローパイプ４３は水平方向に延在しており、その端部から所定範囲奥方に渡って、上側を切り欠くことにより、開口部４４が形成されているので、この開口部４４の開口面積はオーバーフローパイプ４３のパイプ径に制限されずに、拡張されている。
【００３９】
これにより、タンクフィルタ３１・・やフィルタ部３７の透孔３８・・・を通過してしまった洗浄タンク１０内の異物によってオーバーフローパイプ４３の開口部４４が閉塞されてしまう不都合を極力防止することが可能となり、オーバーフロー水を円滑に排出して洗浄水が食器洗浄機ＤＷ外に溢出するなどの不都合を未然に回避することができるようになる。
【００４０】
また、洗浄タンク１０内には、オーバーフローパイプ４３よりも高い位置にて開口するもう一つのオーバーフローパイプ４７が設けられているので、万一オーバーフローパイプ４３が詰まってしまった場合でも、その上方にて開口するオーバーフローパイプ４７からオーバーフロー水を排出することができるようになる。これにより、オーバーフロー水の排出をより一層確実に行って食器洗浄機ＤＷからの洗浄水の溢出をより確実に防止することが可能となる。
【００４１】
更に、オーバーフローパイプ４３に異物が侵入することを防止するためのフィルタ部３７がすすぎ水受け２３に取り付けられているので、格別なフィルタをオーバーフローパイプ４３に着脱自在に取り付ける場合の如く、紛失してしまう不都合も生じない。
【００４２】
更にまた、前述の如くすすぎ水受け２３のストッパー４１、４１は隣接するタンクフィルタ３１の上縁より下方まで延在しているので、隣接するタンクフィルタ３１がすすぎ水受け２３の下側に潜り込んでしまうことが無くなる。ここで、タンクフィルタ３１が横ズレしてすすぎ水受け２３の下側に潜り込んでしまうと、並設されたタンクフィルタ３１とタンクフィルタ３１間に隙間が生じて、そこから大きな残菜などが洗浄タンク１０内に入ってしまうが、ストッパー４１によって係る不都合も防止される。
【００４３】
【発明の効果】
以上詳述した如く本発明によれば、洗浄室内に設けた洗浄ノズル及びすすぎノズルと、洗浄室下方において開口する洗浄タンクとを備え、洗浄室内の食器類に洗浄ノズルから洗浄タンク内の洗浄水を噴射して洗浄を行うと共に、すすぎ水をすすぎノズルから噴射してすすぎを行う食器洗浄機において、洗浄タンク内にオーバーフローパイプを設け、このオーバーフローパイプを水平方向に延在させ、その端部から所定範囲奥方に渡って、上側を切り欠いたので、オーバーフローパイプのパイプ径に制限されずに、端部における開口面積を拡張することができる。
【００４４】
これにより、洗浄タンク内の異物によってオーバーフローパイプの開口部が閉塞されてしまう不都合を極力防止することが可能となり、オーバーフロー水を円滑に排出して洗浄水が食器洗浄機外に溢出するなどの不都合を未然に回避することができるようになるものである。
【００４５】
請求項２の発明によれば、上記に加えて洗浄タンク内に、オーバーフローパイプよりも高い位置にて開口するもう一つのオーバーフローパイプを設けたので、万一下方のオーバーフローパイプが詰まってしまった場合でも、その上方にて開口するもう一つのオーバーフローパイプからオーバーフロー水を排出することができるようになる。
【００４６】
これにより、オーバーフロー水の排出をより一層確実に行って食器洗浄機からの洗浄水の溢出をより確実に防止することが可能となるものである。
【図面の簡単な説明】
【図１】本発明の食器洗浄機の縦断正面図である。
【図２】本発明の食器洗浄機のもう一つの縦断正面図である。
【図３】本発明の食器洗浄機の洗浄タンク部分の縦断正面図である。
【図４】本発明の食器洗浄機の洗浄タンク部分の縦断側面図である。
【図５】本発明の食器洗浄機のタンクフィルタ部分の概略縦断側面図である。
【図６】本発明の食器洗浄機のすすぎ水受け部分の概略縦断側面図である。
【図７】本発明の食器洗浄機のすすぎ水受けの斜視図である。
【図８】本発明の食器洗浄機のオーバーフローパイプの側面図である。
【図９】本発明の食器洗浄機のオーバーフローパイプの平面図である。
【図１０】本発明の食器洗浄機のオーバーフローパイプの正面図である。
【図１１】本発明の食器洗浄機の安全用オーバーフローパイプ部分の概略縦断側面図である。
【図１２】従来の食器洗浄機のオーバーフローパイプの正面図である。
【図１３】従来の食器洗浄機のオーバーフローパイプの平面図である。
【符号の説明】
ＤＷ  食器洗浄機
Ｄ  食器類
Ｗ１  洗浄領域
Ｗ２  すすぎ領域
Ｒ  ラック
１  外装体
２  洗浄室
１０  洗浄タンク
１３Ａ、１３Ｂ  上下洗浄ノズル
１４Ａ、１４Ｂ  上下すすぎノズル
２３  すすぎ水受け
２５  ラック送り
３１  タンクフィルタ
３７  フィルタ部
３８  透孔
４１  ストッパー
４３、４７  オーバーフローパイプ
４４  開口部
【図１】
0003773637.tif 000002
【図２】
0003773637.tif 000003
【図３】
0003773637.tif 000004
【図４】
0003773637.tif 000005
【図５】
0003773637.tif 000006
【図６】
0003773637.tif 000007
【図７】
0003773637.tif 000008
【図８】
0003773637.tif 000009
【図９】
0003773637.tif 000010
【図１０】
0003773637.tif 000011
【図１１】
0003773637.tif 000012
【図１２】
0003773637.tif 000013
【図１３】
0003773637.tif 000014